(57)【要約】【課題】  窓の上側と下側との開口寸法を異ならせることができる上げ下げ窓を提供する。【解決手段】  本発明の上げ下げ窓１は、連動装置９は内障子用吊車１１と、外障子用吊車１３と、内障子用吊車１１に一端を繋ぎ他端を内障子５に繋いで内障子用吊車１１に巻き掛けた内障子吊ワイヤ１５と、外障子用吊車１３に一端を繋ぎ他端を外障子７に繋いで外障子用吊車１３に巻き掛けた外障子吊ワイヤ１７とを有し、外障子７と内障子５は上下寸法が異なっており、外障子用吊車１３と内障子用吊車１１は径寸法が異なり且つ同一水平軸回りを回転し、外障子７の上下寸法ｔと外障子用吊車１３の径寸法Ｒの乗算値と、内障子５の上下寸法Ｔと内障子用吊車１１の径寸法ｒｓの乗算値とが略同一数値である。【選択図】      図１
2005163439.tif 000002
【特許請求の範囲】
【請求項１】
内障子と、外障子と、内外障子の連動装置とを備え、連動装置は内障子用吊車と、外障子用吊車と、内障子用吊車に一端を繋ぎ他端を内障子に繋いで内障子用吊車に巻き掛けた内障子吊ワイヤと、外障子用吊車に一端を繋ぎ他端を外障子に繋いで外障子用吊車に巻き掛けた外障子吊ワイヤとを有し、外障子と内障子は上下寸法が異なっており、外障子用吊車と内障子用吊車は径寸法が異なり且つ同一水平軸回りを回転し、外障子の上下寸法と外障子用吊車の径寸法の乗算値と、内障子の上下寸法と内障子用吊車の径寸法の乗算値とが略同一数値であることを特徴とする上げ下げ窓。
【請求項２】
内障子と、外障子と、内外障子の連動装置とを備え、連動装置は内障子用吊車と、外障子用吊車と、内障子用吊車に一端を繋ぎ他端を内障子に繋いで内障子用吊車に巻き掛けた内障子吊ワイヤと、外障子用吊車に一端を繋ぎ他端を外障子に繋いで外障子用吊車に巻き掛けた外障子吊ワイヤとを有し、外障子と内障子は重量が異なっており、外障子用吊車と内障子用吊車は径寸法が異なり且つ同一水平軸回りを回転し、外障子の重量と外障子用吊車の径寸法の乗算値と、内障子の重量と内障子用吊車の径寸法の乗算値とが略同一数値であることを特徴とする上げ下げ窓。
【発明の詳細な説明】
【技術分野】
【０００１】
本発明は、上げ下げ窓に関する。
【背景技術】
【０００２】
特許文献１には、吊車に巻き掛けた吊ワイヤの一端を内障子に繋ぎ、他端を外障子に繋いで、内外障子の上下動を連動することが開示されている。この特許文献１では、吊り車を一つとし、この吊車に内障子と外障子に繋いだ吊ワイヤを巻き掛けているから、一方の障子の上下方向移動距離と他方の障子の上下方向移動距離が同じになっている。
また、従来の上げ下げ窓では、内外障子の上下寸法や、内外障子の重量は略同一としてあった。
【０００３】
【特許文献１】特開平８−４４２９号公報
【発明の開示】
【発明が解決しようとする課題】
【０００４】
したがって、特許文献１の上げ下げ窓においては、例えば、下側の開口を小さくして子供や痴呆老人等が窓から身を乗り出さないようにするとともに上側の開口を大きくして所定の通風を確保したい場合等上げ下げ窓の上下の開口寸法を異ならせたい場合に使用することができなかった。
【０００５】
そこで、本発明は、窓の上側と下側との開口寸法を異ならせることができる上げ下げ窓の提供を目的とする。
【課題を解決するための手段】
【０００６】
請求項１に記載の発明は、内障子と、外障子と、内外障子の連動装置とを備え、連動装置は内障子用吊車と、外障子用吊車と、内障子用吊車に一端を繋ぎ他端を内障子に繋いで内障子用吊車に巻き掛けた内障子吊ワイヤと、外障子用吊車に一端を繋ぎ他端を外障子に繋いで外障子用吊車に巻き掛けた外障子吊ワイヤとを有し、外障子と内障子は上下寸法が異なっており、外障子用吊車と内障子用吊車は径寸法が異なり且つ同一水平軸回りを回転し、外障子の上下寸法と外障子用吊車の径寸法の乗算値と、内障子の上下寸法と内障子用吊車の径寸法の乗算値とが略同一数値であることを特徴とする。
【０００７】
請求項２に記載の発明は、内障子と、外障子と、内外障子の連動装置とを備え、連動装置は内障子用吊車と、外障子用吊車と、内障子用吊車に一端を繋ぎ他端を内障子に繋いで内障子用吊車に巻き掛けた内障子吊ワイヤと、外障子用吊車に一端を繋ぎ他端を外障子に繋いで外障子用吊車に巻き掛けた外障子吊ワイヤとを有し、外障子と内障子は重量が異なっており、外障子用吊車と内障子用吊車は径寸法が異なり且つ同一水平軸回りを回転し、外障子の重量と外障子用吊車の径寸法の乗算値と、内障子の重量と内障子用吊車の径寸法の乗算値とが略同一数値であることを特徴とする。
【発明の効果】
【０００８】
請求項１に記載の発明によれば、内外障子の上下寸法が異なる場合に、内外障子の移動距離と内外障子の上下寸法とが反比例の関係になるので、例えば、内障子の上下寸法が外障子の上下寸法よりも大きく且つ内障子を下げて全閉している上げ下げ窓では、内障子を上げて窓の下側を開いたときに、外障子は内外障子に対する上下寸法に反比例する距離を下降するので、窓の下側を全開したときに内障子の下端と外障子の下端を揃えることができる。
同様に、内障子の上下寸法が外障子の上下寸法よりも大きく且つ内障子を下げて窓の上側を全開する場合にも、内障子の上端と外障子の上端を揃えることができる。
即ち、本発明では、内外障子の上下方向の移動距離はそれぞれ、内外障子の上下寸法の比に反比例して移動するから、内外障子の上下寸法の比に応じた移動距離の釣り合いを取ることができる。
更に、内外障子の上下方向の移動距離が異なるから、内外障子を上下動して、窓の下側と上側とをそれぞれ開けたときには、窓の下側と上側とを異なる寸法で開くことができる。
【０００９】
請求項２に記載の発明によれば、内外障子の一方の障子を上げ他方の障子を下げて、窓を開けた場合に、内外障子の重量が異なる場合であっても吊車に作用するモーメントの釣り合いをとることができるので、任意の位置で内外障子を止めて窓の開口を維持することができる。
即ち、本発明によれば、内外障子の重量が異なる場合に、吊車に作用する内外障子のモーメントの釣り合いを取ることができる。
【発明を実施するための最良の形態】
【００１０】
以下に、添付図面を参照して本発明の実施の形態を説明する。図１は発明の実施の形態にかかる上げ下げ窓を見込み方向で切断した縦断面図であり、図中一点鎖線で抜き出して示すのは吊車の斜視図であり、図２は図１に示す吊車の取り付け部分を見つ付け方向で切断した縦断面図であり、図３は図１に示す吊車の横断面図であり、図４は図１に示す上げ下げ窓を室内側から見た正面図であり、（ａ）は窓の全閉じ状態、（ｂ）は半開き状態、（ｃ）は窓の下側を全開にした状態である。
本実施の形態にかかる上げ下げ窓１は、窓枠３と、内障子５と、外障子７と、内外障子の連動装置９とを備えている。
内障子５の上下寸法Ｔと外障子７の上下寸法ｔとは異なっており、本実施の形態では、内障子５の上下寸法Ｔの方が外障子７の上下寸法ｔよりも大きい。即ち、Ｔは１４５５ｍｍであり、ｔは６２２ｍｍであり、外障子７の上下寸法ｔに対する内障子５の上下寸法Ｔの比は１：２．３３である。尚、内外障子５、７のそれぞれの幅Ｗは同じである。
尚、外障子７を上にし内障子５を下にした位置で窓を全閉するようになっている。
【００１１】
更に、本実施の形態では、内障子５の重量Ｇと外障子７は重量ｇが異なっており、内障子の重量Ｇの方が外障子７の重量ｇよりも大きい。本実施の形態では、Ｇは１７．８ｋｇであり、ｇは８．３ｋｇであり、外障子の重量ｇに対する内障子５の重量Ｇの比は、１：２．１４である。
連動装置９は、内障子用吊車１１と、外障子用吊車１３と、内障子用吊車１１に巻き掛けた内障子吊ワイヤ１５と、外障子用吊車１３に巻き掛けた外障子吊ワイヤ１７とから構成されている。
内障子用吊車１１と外障子用吊車１３とは同一水平軸１９に固定してあり、同一水平軸１９を同一方向に回転するようになっている。更に、内障子用吊車１１と外障子用吊車１３とには、それぞれ互いに反対回りに吊ワイヤ１５、１７が巻き掛けてある。したがって、内障子用吊車１１と外障子用吊車１３とのいずれか一方を回転すると他方も同一方向に回転し、一方がワイヤを巻き上げれば他方がワイヤを下げるようになっている。
内障子用吊車１１の径寸法ｒｓは２０．６ｍｍであり、外障子用吊車１３の径寸法Ｒｓは４８ｍｍであり、内障子用吊車１１の径寸法ｒｓに対する外障子用吊車１３の径寸法Ｒｓの比は、１：２．３３となっている。
即ち、内障子５の上下寸法Ｔと内障子用吊車の径寸法ｒｓの乗算値（ｒｓ×Ｔ＝２９９７３（ｍｍ×ｍｍ））と、外障子７の上下寸法ｔと外障子用吊車の径寸法Ｒｓの乗算値（Ｒｓ×ｔ＝２９８５６（ｍｍ×ｍｍ））とは多少の誤差はあるが、略同一値（ｒｓ×Ｔ≒Ｒｓ×ｔ）の関係になっている。
尚、本実施の形態では、外障子７の室外側において、窓の上部には固定網戸２１が取り付けてあり、上部開口２７を網戸２１で覆うようになっている。また、内障子の下端には下枠２３との間にプリーツ網戸２５が設けてあり、下部開口をプリーツ網戸２５で覆っている。
【００１２】
次に、本実施の形態にかかる上げ下げ窓１の作用及び効果について説明する。図４（ａ）に示すように、外障子７の上下寸法ｔよりも内障子５の上下寸法Ｔが大きい寸法になっており、内障子５を下にし外障子５を上にして窓を閉めている。この窓を閉めた状態では、外障子７の下端と内障子５の上端を揃えている。
窓を開ける場合には、図４（ａ）に示す全閉状態から、内障子５を上げると外障子７が下がり、窓の上側及び下側にそれぞれ開口２７、２９を形成することができる（図４（ｂ））。この場合、内障子５が上方に所定距離移動すると、内障子の上下寸法に反比例する距離だけ外障子５が下がる。即ち、内障子５が上がると外障子７は内障子５の移動距離に対して、略２．３３倍の距離を下がる。したがって、図４（ｂ）に示すように、内障子５と外障子７との移動距離が異なることから、内障子５と外障子７との上下動させて形成する窓の上側開口２７の寸法Ｅと窓の下側開口２９の寸法Ｆを異なるようにすることができる。これにより、窓の下側開口２９の寸法Ｆを上側開口２７の寸法Ｅよりも小さくしつつ、所定の通風量を確保することができる。
図４（ｃ）に示すように、内障子５の上端を窓枠３の上枠３１に当接する位置まで上げると、内障子５の下側のみの開口２９となり、しかも、内障子５の下端と外障子７の下端を揃えて、内障子５の下側の開口２９を全開することができる。内障子５の下端と外障子７の下端とが揃っているので室内側から見た外観がよい。このように、本実施の形態によれば、内外障子５、７の移動距離は、内外障子５、７の上下寸法ｔ、Ｔの比に反比例するから、内外障子５、７の移動距離の釣り合いを取ることができる。
外障子７の上下寸法ｔと内障子５の上下寸法Ｔが異なっているので、上げ下げ窓においては従来にない意匠を得ることができる。
また、内障子５の上下寸法Ｔと内障子用吊車の径寸法ｒｓの乗算値（ｒｓ×Ｔ）と、外障子７の上下寸法ｔと外障子用吊車の径寸法Ｒｓの乗算値（Ｒｓ×ｔ）との釣り合い（ｒｓ×Ｔ≒Ｒｓ×ｔ）は、内障子用吊車１１と外障子用吊車１３の各吊りワイヤ１５、１７の巻き径の変化やワイヤ１５、１７の伸び等を考慮して、ｒｓ×ＴとＲｓ×ｔとに多少の誤差があっても同じ作用効果を得ることができる。
尚、この実施の形態では、外障子７の重量Ｇと外障子用吊車の径寸法Ｒｓの乗算値は、ｒｓ×Ｇ＝３６７（ｍｍ×Ｋｇ）であり、内障子５の重量ｇと内障子用吊車の径寸法ｒｓの乗算値は、Ｒｓ×ｇ＝３９８（ｍｍ×Ｋｇ）となっており、外障子５の重量ｇと外障子用吊車１３の径寸法ｒｓの乗算値（ｇ×ｒｓ）と、内障子の重量Ｇと内障子用吊車の径寸法Ｒｓの乗算値（Ｇ×Ｒｓ）とが多少異なっているが、一方の障子５を上げ他方の障子７を下げて窓を開けた場合に、各吊車１１、１３と吊ワイヤ１５、１７との摩擦や、窓枠３と内外障子５、７との摩擦等を考慮して、各吊車１１、１３に作用するモーメントの釣り合い（ｇ×ｒｓとＧ×Ｒｓとの釣り合い）をとることができるので、任意の位置で内外障子５、７を留めて窓の開口２７、２９を維持することができる。
【００１３】
次に、図５を参照して第２実施の形態にかかる上げ下げ窓について説明するが、図５に示す上げ下げ窓の横断面図は第１実施の形態の横断面を示す図３と同じであり、吊車の取り付け部分を示す図も第１実施の形態で用いた図３と同じであるから、図３及び図２をも合わせて参照して以下説明する。また、以下の説明では上述した第１実施の形態と同一の作用を奏する部分には同一の符号を付することにより、その部分の詳細な説明を省略し、第１実施の形態と主に異なる点を説明する。
第２実施の形態では、内障子５の上下寸法Ｔと外障子７の上下寸法ｔとを同じにしてあり、内障子５の重量Ｇと外障子７の重量ｇが異なっている。
即ち、第２実施の形態では、内障子５の重量Ｇの方が外障子７の重量ｇよりも大きく、Ｇは１９．２ｋｇであり、ｇは８．３ｋｇであり、外障子の重量ｇに対する内障子５の重量Ｇの比は、１：２．３１である。
内障子５の重量Ｇと外障子７の重量ｇとの調節は、内障子５の下框５ａに収納した錘４１でおこなっている。
また、内障子用吊車１１の径寸法ｒｓと外障子用吊車の径寸法Ｒｓは、上述した第１実施の形態と同じであり、内障子用吊車１１の径寸法ｒｓに対する外障子用吊車の径寸法Ｒの比は１：２．３３となっている。
したがって、外障子７の重量Ｇと外障子用吊車の径寸法Ｒｓの乗算値は、ｒｓ×Ｇ＝３９６（ｍｍ×Ｋｇ）であり、内障子５の重量ｇと内障子用吊車の径寸法ｒｓの乗算値は、Ｒｓ×ｇ＝３９８（ｍｍ×Ｋｇ）であり、外障子７の乗算値（ｒｓ×Ｇ）と、内障子５の乗算値（Ｒｓ×ｇ）とが略同じになっている。
【００１４】
この第２実施の形態では、外障子５の重量ｇと外障子用吊車１３の径寸法ｒｓの乗算値（ｒｓ×Ｇ）と、内障子５の重量Ｇと内障子用吊車の径寸法Ｒｆの乗算値（Ｒｓ×ｇ）とが略同一数値となっているので、一方の障子５を上げ他方の障子７を下げて窓を開けた場合に、内外障子５、７の重量が異なる場合であっても、各吊車１１、１３に作用するモーメントを略同じにして釣り合いをとることができるので、任意の位置で内外障子５、７を留めて窓の開口２７、２９を維持することができる。
尚、このモーメントの吊り合い（ｒｓ×Ｇ≒Ｒｓ×ｇ）は、各吊車１１、１３と吊ワイヤ１５、１７との摩擦や、内外障子５、７と枠３との摩擦を考慮して、ｒｓ×ＧとＲｓ×ｇとに多少の誤差があっても同じ作用効果を得ることができる。
本実施の形態では、内障子５の重量Ｇと外障子７の重量ｇの調節は、内障子５の下框５ａに収納した錘４１でおこなっているので、外観に影響を与えることなく且つ簡単におこなうことができる。
また、この第２実施の形態では、内障子用吊車１１と外障子用吊車１３とは同一水平軸１９を回転し、外障子用吊車１３の径Ｒｓの方が、内障子用吊車１１の径ｒｓよりも大きいので、外障子７の移動距離は内障子５の移動距離に対して２．３３倍大きくなる。したがって、窓の下側（内障子の下側）の開口寸法を小さくし且つ窓の上側（外障子の上側）の開口寸法を大きくすることができ、窓の下側の開口を小さくしつつ所定量の通風や換気を確保することができる。
【００１５】
本発明は、上述した実施の形態に限らず、本発明の要旨を逸脱しない範囲で種々変形可能である。
例えば、第１実施の形態において、外障子７の上下寸法ｔ及び重量ｇをそれぞれ内障子５の上下寸法Ｔ及び重量Ｇよりも大きい値とし、内障子５を上げ外障子７を下げた位置で窓を閉じ、内障子５を下げて窓の下側を全開にするものであってもよい。
第２実施の形態において、錘４１は障子５の下框５ａに設けることに限らず、障子５の左右框や上框に設けてもよいし、錘４１に変えて外障子７よりも内障子５の框の太さや厚みを換えるものであってもよい。
更に、第１実施の形態における内外障子５、７の上下寸法Ｔ、ｔと各吊車の径寸法ｒｓ、Ｒｓとの乗算値の調節や、第２実施の形態における内外障子５、７の重量Ｇ、ｇと吊車の径寸法ｒｓ、Ｒｓとの乗算値の調節は、内障子用吊車の径寸法ｒｓと外障子用吊車の径寸法Ｒｓを変えて調節するものであってもよい。
請求項１に記載の発明においては、第１実施の形態で内障子５の重量Ｇと外障子７の重量ｇとを同一として、内障子５の上下寸法Ｔ及び外障子の上下寸法ｔのみが異なるものとしてもよい。
【図面の簡単な説明】
【００１６】
【図１】第１実施の形態にかかる上げ下げ窓を見込み方向で切断した縦断面図であり、図中一点鎖線で抜き出して示すのは吊車の斜視図である。
【図２】図１に示す吊車の取り付け部分を見つ付け方向で切断した縦断面図である。
【図３】図１に示す吊車の横断面図である。
【図４】図１に示す上げ下げ窓を室内側から見た正面図であり、（ａ）は窓の全閉じ状態、（ｂ）は半開き状態、（ｃ）は窓の下側を全開にした状態である。
【図５】第２実施の形態にかかる上げ下げ窓を見込み方向で切断した縦断面図であり、図中一点鎖線で抜き出して示すのは吊車の斜視図である。
【符号の説明】
【００１７】
１      上げ下げ窓
５      内障子
７      外障子
９      連動装置
１１    内障子用吊車
１３    外障子用吊車
１５    内障子吊ワイヤ
１７    外障子吊ワイヤ
１９    同一水平軸
ｔ      外障子の上下寸法
Ｔ      内障子の上下寸法
ｒｓ    内障子用吊車の径寸法
Ｒｓ    外障子用吊車の径寸法
Ｇ      内障子の重量
ｇ      外障子の重量
【図１】
2005163439.tif 000003
【図２】
2005163439.tif 000004
【図３】
2005163439.tif 000005
【図４】
2005163439.tif 000006
【図５】
2005163439.tif 000007